(57)【要約】【課題】たとえインターホン機器の設置環境が異なっていたとしても、音質を安定させることができるインターホン機器を提供する。【解決手段】後ケース３の内面から前面が開口する筒状の囲いリブ１７を前方へ突設しており、前ケース２と後ケース３とを組み付けた際、囲いリブ１７の前端が前ケース２の内面側に当接し、前ケース２に開設されたスピーカ孔１０内に露出するように設置されるスピーカ１１を、囲いリブ１７の内部空間となる密閉されたスピーカ収納空間１８内に収納するようにした。そのため、たとえ後ケース３の囲いリブ１７外となる位置に開口２０、２０・・が開設されていたとしても、インターホン機器１の設置環境にかかわらず、スピーカ１１の後方の容積は一定となるし、本体ケースの後方から音が回り込んでくるような状況も起こらないため、常に音質を安定させることができる。【選択図】図４
2013207742.tif 000002
【特許請求の範囲】
【請求項１】
前ケースと後ケースとを組み付けてなる本体ケースを有し、前記前ケースにスピーカ孔が開設されているとともに、前記スピーカ孔内に露出するように、スピーカが前記前ケースの内面側に設置されているインターホン機器であって、
前記後ケースに、前面が開口した筒状の囲いリブを前方へ突設しており、
前記前ケースと前記後ケースとを組み付けると、前記囲いリブの前端が前記前ケースの内面側に当接し、前記スピーカが前記囲いリブの内部空間に収納された状態となることを特徴とするインターホン機器。
【請求項２】
前記囲いリブの前端が、弾性部材を介して前記前ケースの内面側に当接していることを特徴とする請求項１に記載のインターホン機器。
【発明の詳細な説明】
【技術分野】
【０００１】
本発明は、たとえば来訪者からの呼び出しに対して応答するためのインターホン親機等といったスピーカを備えたインターホン機器に関するものである。
【背景技術】
【０００２】
従来一般的なインターホン機器には、他のインターホン機器との間で通話するためのスピーカが備えられている。そして、スピーカは、たとえば特許文献１に記載されているように、本体ケースの内部に設けられたリブ状のスピーカ保持部に載置した状態でネジ止めする等して取り付けられている。
【先行技術文献】
【特許文献】
【０００３】
【特許文献１】特開２００６−２２２５３３号公報
【発明の概要】
【発明が解決しようとする課題】
【０００４】
ここで、音の音響特性について考えてみると、スピーカ後方側の容積やスピーカの後方から本体ケースの前方側へと音が回り込んでくる経路の距離等がスピーカの音質に影響を及ぼすことが知られている。しかしながら、一般的なインターホン機器の本体ケースの後面には、基板のコネクタや端子を露出するため等といった配線のための開口が設けられているため、インターホン機器の設置環境（壁面との距離や周囲の家具との距離等）に応じて、上記容積や経路の距離が異なることになる。そして、インターホン機器の設置環境は、当然ながら個々のインターホン機器毎に異なっているため、たとえ同機種のインターホン機器であっても、個々のインターホン機器毎で音質が安定しないという問題があった。
【０００５】
そこで、本発明は、上記問題に鑑みなされたものであって、たとえインターホン機器の設置環境が異なっていたとしても、音質を安定させることができるインターホン機器を提供しようとするものである。
【課題を解決するための手段】
【０００６】
上記目的を達成するために、本発明のうち請求項１に記載の発明は、前ケースと後ケースとを組み付けてなる本体ケースを有し、前ケースにスピーカ孔が開設されているとともに、スピーカ孔内に露出するように、スピーカが前ケースの内面側に設置されているインターホン機器であって、後ケースに、前面が開口した筒状の囲いリブを前方へ突設しており、前ケースと後ケースとを組み付けると、囲いリブの前端が前ケースの内面側に当接し、スピーカが囲いリブの内部空間に収納された状態となることを特徴とする。
請求項１に記載の発明によれば、後ケースに、前面が開口した筒状の囲いリブを前方へ突設しており、前ケースと後ケースとを組み付けると、囲いリブの前端が前ケースの内面側に当接し、スピーカが囲いリブの内部空間に収納された状態となるため、たとえ後ケースに配線のための開口が開設されていたとしても、インターホン機器の設置環境にかかわらず、スピーカの後方の容積は一定となるし、本体ケースの後方から音が回り込んでくるような状況も起こらない。したがって、常に音質を安定させることができるし、囲いリブの内部空間の容積をスピーカに最適な容積とすることで、スピーカの音質を高い状態で安定させることができる。
【０００７】
請求項２に記載の発明は、請求項１に記載の発明において、囲いリブの前端が、弾性部材を介して前ケースの内面側に当接していることを特徴とする。
請求項２に記載の発明によれば、囲いリブの前端が、弾性部材を介して前ケースの内面側に当接しているため、囲いリブの内部空間を確実且つ容易に密閉状態とすることができ、音質の更なる安定を図ることができる。
【発明の効果】
【０００８】
本発明によれば、前ケースと後ケースとを組み付けると、後ケースから前方へ突設された筒状の囲いリブの前端が前ケースの内面側に当接し、スピーカが囲いリブの内部空間に収納された状態となる。したがって、たとえ後ケースに配線のための開口が開設されていたとしても、インターホン機器の設置環境にかかわらず、スピーカの後方の容積は一定となるし、本体ケースの後方から音が回り込んでくるような状況も起こらないため、常に音質を安定させることができる。
【図面の簡単な説明】
【０００９】
【図１】インターホン親機を前面側から示した斜視説明図である。
【図２】前ケースの内面側を示した斜視説明図である。
【図３】後ケースの内面側を示した斜視説明図である。
【図４】インターホン親機のスピーカ収納空間位置における断面を拡大して示した説明図である。
【発明を実施するための形態】
【００１０】
以下、本発明の一実施形態となるインターホン機器について、図面にもとづき詳細に説明する。
図１は、インターホン機器の一例であるインターホン親機１を前面側から示した斜視説明図である。図２は、インターホン親機１の本体ケースを構成する前ケース２の内面側（後面側）を示した斜視説明図であり、図３は、本体ケースを構成する後ケース３の内面側（前面側）を示した斜視説明図である。図４は、インターホン親機１のスピーカ収納空間１８位置における断面を拡大して示した説明図である。
【００１１】
インターホン親機１は、前側に配置される前ケース２と、後側に配置される後ケース３とで構成される本体ケースを有しており、この本体ケースの前面中央部には、インターホン子機（図示せず）において撮像された来訪者等を表示するとともにタッチパネルとしても機能するモニタ部４が設けられている。また、本体ケースの前面でモニタ部４の左方には、通話のためのハンドセット５が掛脱可能に取り付けられている。さらに、本体ケースの前面でモニタ部４の右下方（本体ケースの右下隅部）には、ハンドセット５を使用しない状況で通話するためのマイク部６が設けられている一方、モニタ部４の左方で掛止状態にあるハンドセット５の後方となる位置には、同様にハンドセット５を使用しない状況で通話するためのスピーカ部７が設けられている。そして、このようなインターホン親機１は、住戸の居室の壁面等に設置されており、たとえばインターホン子機からの呼び出しに応じて居住者により応答操作（たとえば押しボタンの押し込み操作）されると、インターホン子機との間で通話可能となるとともに、モニタ部４にインターホン子機を呼び出し操作した来訪者を表示するようになっている。
【００１２】
ここで、本発明の要部となるインターホン親機１におけるスピーカ１１の設置構造について説明する。
前ケース２は、後方へ開口する箱状体であり、該前ケース２の前面でスピーカ部７に対応する位置には、スピーカ１１を露出するためのスピーカ孔１０が開設されている。また、前ケース２の内面（前面の裏側となる面）には、スピーカ１１の振動面（図示せず）やセンターキャップ（図示せず）をスピーカ孔１０内に露出した状態でスピーカ１１を設置するためのスピーカ取付部１２が形成されており、該スピーカ取付部１２は、前ケース２の内面から後方へ突設されたリブ１３によって囲まれている。さらに、リブ１３には、２つの切り欠き１４、１４が形成されており、当該切り欠き１４、１４を通してスピーカ１１から延びるハーネス１５、１５をスピーカ取付部１２外へ引き出すことにより、ハーネス１５、１５をリブ１３等によって傷めることなく、スピーカ１１と本体ケース内に取り付けられる図示しないスピーカ基板とを電気的に接続可能となっている。さらに、リブ１３の周囲には、弾性を有する合成樹脂製で、スピーカ取付部１２を露出させる孔を有し、且つ、後述する囲いリブ１７の開口よりも大きな薄板状に形成されたパッキン１６が設置されている。尚、切り欠き１４、１４から引き出されたハーネス１５、１５は、パッキン１６と前ケース２の内面との間を通される。
【００１３】
一方、後ケース３は前方へ開口する箱状体であり、該後ケース３の内面（後面の表側となる面）で、前ケース２を組み付けた際にスピーカ取付部１２の後方となる位置には、前面が開口した四角筒状の囲いリブ１７が前方へと突設されている。当該囲いリブ１７の開口は、スピーカ取付部１２よりも大きく、且つ、パッキン１６よりは小さくなっており、前ケース２と後ケース３とを組み付けると、スピーカ１１をスピーカ取付部１２ごと収納した状態で囲いリブ１７の前端がパッキン１６に押し当てられる状態となり、囲いリブ１７の内部空間が密閉されたスピーカ収納空間１８として機能するようになっている。また、スピーカ収納空間１８内には、円柱状の保持突起１９が前方へ突設されており、前ケース２と後ケース３との組み付けに伴い、スピーカ１１（詳しくは、スピーカ１１の後面中央部に設けられているカバー体１１ａ）に後方から当接するようになっている。尚、後ケース３の後面における囲いリブ１７の外側となる位置には、本体ケース内に設置される図示しない各種基板の端子やコネクタを露出させるための開口２０、２０・・が開設されている。また、後ケース３の後面における囲いリブ１７の内側となる位置には、当然ながら如何なる開口も設けていない。さらに、スピーカ収納空間１８の容積は、スピーカ１１にとって最も音質が良くなる容積となっている。
【００１４】
そして、上記スピーカ１１の設置構造を有するインターホン機器１でのスピーカ１１の設置作業を説明すると、まず前ケース２の内面においてスピーカ１１をスピーカ取付部１２に載置し、切り欠き１４、１４内にハーネス１５、１５を通した後、パッキン１６をスピーカ取付部１２の周囲に載置し、リブ１３外にあるハーネス１５、１５をパッキン１６によって被覆する。次に、当該状態にある前ケース２に対して後ケース３を組み付ければ、スピーカ収納空間１８内にスピーカ１１を収納した状態で囲いリブ１７の前端がパッキン１６に、保持突起１９の前端がスピーカ１１に夫々押し当たり、パッキン１６及びスピーカ１１が夫々前ケース２と後ケース３とにより挟持固定されて、スピーカ１１の設置作業は完了となる。
【００１５】
以上のようなスピーカ１１の設置構造を有するインターホン機器１によれば、後ケース３の内面から前面が開口する筒状の囲いリブ１７を前方へ突設しており、前ケース２と後ケース３とを組み付けた際、囲いリブ１７の前端が前ケース２の内面側に当接し、前ケース２に開設されたスピーカ孔１０内に露出するように設置されるスピーカ１１を、囲いリブ１７の内部空間となる密閉されたスピーカ収納空間１８内に収納するようになっている。そのため、たとえ後ケース３の囲いリブ１７外となる位置に開口２０、２０・・が開設されていたとしても、インターホン機器１の設置環境にかかわらず、スピーカ１１の後方の容積は一定となるし、本体ケースの後方から音が回り込んでくるような状況も起こらないため、常に音質を安定させることができる。さらに、スピーカ収納空間１８の容積をスピーカ１１に最適な容積とすることで、スピーカ１１の音質を高い状態で安定させることができる。
【００１６】
また、囲いリブ１７の前端と前ケース２の内面側との間にパッキン１６を介在させており、前ケース２と後ケース３とを組み付けた際、囲いリブ１７の前端がパッキン１６に押し当たる、すなわちパッキン１６を介して前ケース２の内面に当接するようにしているため、スピーカ収納空間１８を一層確実且つ容易に密閉状態とすることができ、音質の更なる安定を図ることができる。加えて、パッキン１６を前ケース２と後ケース３とにより挟持固定しているため、パッキン１６の設置作業が容易であるという効果もある。
【００１７】
さらに、前ケース２の内面に、後方へ突出するリブ１３によってスピーカ孔１０を含むように囲われたスピーカ取付部１２を設けるとともに、囲いリブ１７の内部に、後ケース２の内面から前方へ突出する保持突起１９を設けており、前ケース２と後ケース３とを組み付けた際、スピーカ取付部１２に所定の姿勢で載置されるスピーカ１１に保持突起１９が後方から当接するように構成することにより、前ケース２と後ケース３とを組み付けるだけでスピーカ１１を所定の設置位置で挟持固定可能としている。したがって、従来の如くスピーカ１１の設置にネジ等が必要でなく、スピーカ１１の設置作業を非常に容易化することができる。
【００１８】
加えて、リブ１３に切り欠き１４、１４を形成しており、スピーカ１１と基板とを接続するハーネス１５、１５を、切り欠き１４内を通し、且つ、パッキン１６と前ケース２の後面との間を通して配線している。したがって、前ケース２と後ケース３との組み付けにより、囲いリブ１７の前端が前ケース２の内面側に当接した際、ハーネス１５、１５に圧力がかかりにくく、ハーネス１５、１５の損傷や断線を防止することができる。
【００１９】
なお、本発明に係るインターホン機器は、上記実施形態の態様に何ら限定されるものではなく、インターホン機器の全体的な構成は勿論、囲いリブやパッキン等のスピーカ収納空間の密閉に係る構成についても、本発明の趣旨を逸脱しない範囲で、必要に応じて適宜変更することができる。
【００２０】
たとえば、上記実施形態では、パッキン１６を介在させるように構成しているが、前ケース２の内面に囲いリブ１７の前端が嵌入する溝部を設ける等することでパッキン１６を介在させずとも十分な密閉を期待することができるのであれば、パッキン１６を介在させなくともよい。
また、パッキン１６を予め囲いリブ１７の前端に接着するように構成してもよく、その場合には、囲いリブ１７の形状に合わせたフレーム状のパッキンを採用することも可能である。さらに、スピーカ１１を従来通りネジ止めするようなインターホン機器であってもよく、スピーカ１１の設置構造に応じて保持突起１９を設けなくとも何ら問題はない。
加えて、ハンドセット５を有するインターホン親機１について説明しているが、本発明のインターホン機器は、ハンドセット５を有しないインターホン親機等は勿論のこと、玄関に設置するインターホン子機等の他のインターホン機器に対しても良好に適用することができる。
【符号の説明】
【００２１】
１・・インターホン親機（インターホン機器）、２・・前ケース（本体ケース）、３・・後ケース（本体ケース）、７・・スピーカ部、１０・・スピーカ孔、１１・・スピーカ、１２・・スピーカ取付部、１３・・リブ、１４・・切り欠き、１５・・ハーネス、１６・・パッキン（弾性部材）、１７・・囲いリブ、１８・・スピーカ収納空間（囲いリブの内部空間）、１９・・保持突起、２０・・開口。
【図１】
2013207742.tif 000003
【図２】
2013207742.tif 000004
【図３】
2013207742.tif 000005
【図４】
2013207742.tif 000006